(57)【要約】【課題】濾過器の通水量を低下し難くできる固形物除去器を提供すること。【解決手段】流下管１４の出口１６から液体１７が流下し、出口１６の下方に濾過器１１が配置される。フィルタ２３は出口１６から流下する液体１７を受ける領域３０が表面の一部を占める。領域３０において、開口を通過する液量より表面に沿って領域３０を流下する液量が多くなるように水平面１８に対して表面が傾斜して配置される。固形物は、フィルタ２３の表面に沿って領域３０を流下する液体に押し流されてフィルタ２３の表面を流下するので、領域３０に固形物を堆積させ難くできる。フィルタ２３の領域３０の目詰まりを抑制できるので、濾過器１１の通水量を低下させ難くできる。【選択図】図３
0003203724.tif 000002
【実用新案登録請求の範囲】
【請求項１】
固形物を含む液体が出口から流下する流下管と、
その流下管の出口の下方に配置される濾過器とを備え、
その濾過器は、前記出口から流下する前記液体を受ける領域が表面の一部を占めるフィルタを備え、
そのフィルタは、前記固形物は通さないで前記液体を通す複数の開口を有し、前記領域において、前記開口を通過する液量より前記表面に沿って前記領域を流下する液量が多くなるように水平面に対して前記表面が傾斜して配置されていることを特徴とする固形物除去器。
【請求項２】
前記濾過器は、前記フィルタの下辺に不透水性の底部を備え、
前記底部は、前記フィルタの下辺の第１端から第２端へ向けて下降傾斜していることを特徴とする請求項１記載の固形物除去器。
【請求項３】
前記フィルタは、目開きが０．３ｍｍ〜１ｍｍ、線径が０．２ｍｍ〜０．５ｍｍの網状であり、前記領域における水平面に対する前記表面の傾斜角度が４０°〜８０°であることを特徴とする請求項１又は２に記載の固形物除去器。
【請求項４】
前記流下管の上流側に接続される配管と、
前記濾過器の下方に配置される受槽と、
その受槽の下流に接続される集水管と、
その集水管に接続される、前記受槽内の液体を前記配管に還流する還流管とを備え、
前記フィルタは、前記開口が、前記配管、前記流下管、前記集水管および前記還流管の最も小さい内寸より小さく設定されていることを特徴とする請求項１から３のいずれかに記載の固形物除去器。
【請求項５】
前記配管は、ダイカスト用金型を冷却する配管であることを特徴とする請求項４記載の固形物除去器。
【考案の詳細な説明】
【技術分野】
【０００１】
本考案は、固形物を含む液体から固形物を除去する固形物除去器に関するものである。
【背景技術】
【０００２】
配管を流れる液体に含まれるゴミ等の固形物は配管の詰まりやポンプ等の設備に損傷を与える原因となるので、液体から固形物を除去するために濾過器が配置される。特許文献１には集水槽の側壁や底板に濾過器（ストレーナ）を配置する技術が開示されている。特許文献１では、配管経路ではなく集水槽の側壁や底板に濾過器を配置するので、濾過器の取り出し及び清掃を容易に行うことができる。
【先行技術文献】
【特許文献】
【０００３】
【特許文献１】特開２００３−１３０５５８号公報
【考案の概要】
【考案が解決しようとする課題】
【０００４】
しかしながら上記従来の技術では、固形物を除去する開口が設けられた濾過器（ストレーナ）を設置すると、濾過器の全面で液体を受けるので、固形物が濾過器に堆積し易く、濾過器の通水量が低下し易いという問題点がある。
【０００５】
本考案は上述した問題点を解決するためになされたものであり、濾過器の通水量を低下し難くできる固形物除去器を提供することを目的とする。
【課題を解決するための手段および考案の効果】
【０００６】
この目的を達成するために請求項１記載の固形物除去器によれば、固形物を含む液体が流下管の出口から流下し、流下管の出口の下方にフィルタを備える濾過器が配置される。フィルタは、固形物は通さないで液体を通す複数の開口を有し、出口から流下する液体を受ける領域が表面の一部を占める。フィルタは、その領域において開口を通過する液量より、表面に沿って領域を流下する液量が多くなるように水平面に対して表面が傾斜して配置される。その領域の開口をスムーズに通過できない固形物は、フィルタの表面に沿って領域を流下する液体に押し流されてフィルタの表面を流下するので、その領域に固形物を堆積させ難くできる。液体を受けるフィルタの領域の開口に固形物を侵入し難くして目詰まりを抑制できるので、濾過器の通水量を低下させ難くできる効果がある。
【０００７】
請求項２記載の固形物除去器によれば、フィルタの下辺に設けられた不透水性を有する底部が、濾過器の下辺の第１端から第２端へ向けて下降傾斜している。底部に固形物を溜めることができ、底部に溜めた固形物を、フィルタの表面を流下する液体を使って濾過器の下辺の第２端側へ集めることができる。底部の第２端側へ溜まった固形物を取り除けば濾過器の清掃ができるので、請求項１の効果に加え、濾過器の清掃を容易にできる効果がある。
【０００８】
請求項３記載の固形物除去器によれば、フィルタは線径が０．２ｍｍ〜０．５ｍｍ、目開きが０．３ｍｍ〜１ｍｍの網状なので、フィルタを構成する線の強度および開口率を確保できる。領域における水平面に対するフィルタの表面の傾斜角度が４０°〜８０°なので、フィルタを通過する液量よりフィルタの表面を流下する液量を確保できる。その結果、請求項１又は２の効果に加え、濾過器の通水量の低下を防ぎつつフィルタの耐久性を確保できる効果がある。
【０００９】
請求項４記載の固形物除去器によれば、流下管の上流側に配管が接続され、濾過器の下方に受槽が配置される。受槽の下流に接続された集水管は、受槽内の液体を配管へ戻す還流管に接続される。フィルタは、開口が、配管、流下管、集水管および還流管の最も小さい内寸より小さく設定されている。よって、請求項１から３のいずれかの効果に加え、固形物を濾過器が除去して、配管、流下管、集水管および還流管の目詰まりを防止できる効果がある。
【００１０】
請求項５記載の固形物除去器によれば、配管はダイカスト用金型を冷却する配管である。濾過器の通水量を低下させ難くできるので、請求項４の効果に加え、冷却流量を減少させ難くでき、ダイカスト用金型の冷却効果を維持できる効果がある。
【図面の簡単な説明】
【００１１】
【図１】第１実施の形態における固形物除去器が配置された冷却装置の系統図である。
【図２】濾過器の斜視図である。
【図３】受槽に設置された濾過器の断面図である。
【図４】図３のＩＶ−ＩＶ線における濾過器の断面図である。
【図５】（ａ）は第２実施の形態における濾過器の断面図であり、（ｂ）は第３実施の形態における濾過器の断面図であり、（ｃ）は第４実施の形態における濾過器の断面図であり、（ｄ）は第５実施の形態における濾過器の断面図であり、（ｅ）は第６実施の形態における濾過器の断面図である。
【考案を実施するための形態】
【００１２】
以下、本考案の好ましい実施の形態について添付図面を参照して説明する。図１は本考案の第１実施の形態における固形物除去器１０が配置された冷却装置１の系統図である。冷却装置１は、ダイカスト用の金型２を冷却するための各種配管、循環冷却装置８及び固形物除去器１０を備える装置である。
【００１３】
金型２は冷却水が流れる複数の冷却穴（図示せず）が形成されており、冷却穴に冷却管３がそれぞれ装着されている。冷却管３は、往路および復路がそれぞれ形成されており、往路にヘッダ管４から分岐した給水管５がそれぞれ接続され、復路に排水管６がそれぞれ接続されている。ヘッダ管４は冷却水を供給する還流管７が接続されており、還流管７は循環冷却装置８が配置されている。還流管７は、固形物除去器１０により錆やゴミ等の異物（固形物）が除去された排水（液体）を、集水管１３を通じて循環冷却装置８によって冷却し、冷却水としてヘッダ管４へ戻すための管である。循環冷却装置８は、固形物除去器１０から吸引した液体を冷却し、冷却した液体を還流管７へ圧送するための装置である。
【００１４】
固形物除去器１０は、液体に含まれる固形物を除去するための濾過器１１と、濾過器１１を支持する受槽１２と、濾過器１１に液体を流下する流下管１４とを備えている。流下管１４は排水管６がそれぞれ接続される管であり、支持枠１５に複数が支持されている。受槽１２は濾過器１１を支持すると共に、濾過器１１を通過した液体を集めて集水管１３へ導く箱型の槽である。集水管１３は還流管７が接続されている。流下管１４と受槽１２とが分離しているので、流下管１４から排出される液体１７の流れを、流下管１４毎に視認できる。よって、冷却管３、給水管５、排水管６及び流下管１４に目詰まりが生じていないかを、流路ごとに簡便に確認できる。
【００１５】
図２を参照して濾過器１１について説明する。図２は濾過器１１の斜視図である。濾過器１１は、互いに向かい合う２つの長辺および２つの短辺により矩形の枠状に形成された枠体２０と、枠体２０の長辺の両端から下方へ向かって延びるステンレス鋼製の４本の支持帯２１と、上辺が枠体２０に固着されると共に支持帯２１間に張られた第１フィルタ２３、第２フィルタ２４、第３フィルタ２５と、枠体２０の長辺から枠体２０の外側へ向かって張り出す張出部２７，２８とを備えている。
【００１６】
枠体２０は濾過器１１の骨格となる部材であり、ステンレス鋼製の細長い板材により形成されている。支持帯２１は第１フィルタ２３及び第２フィルタ２４の水平面に対する傾きを決定するための部材であり、ステンレス鋼製の細長い板材により形成されている。支持帯２１は上端が枠体２０にそれぞれ固着されており、枠体２０の短辺を挟んで向かい合う支持帯２１の下端同士が固着されている。
【００１７】
第１フィルタ２３、第２フィルタ２４及び第３フィルタ２５は、液体に含まれる錆やゴミ等の異物（固形物）を除去するための部材であり、ステンレス鋼製の線材を平織や綾織にしたメッシュ（網）である。第１フィルタ２３及び第２フィルタ２４は矩形状に形成されており、第３フィルタ２５は三角形状に形成されている。第１フィルタ２３、第２フィルタ２４及び第３フィルタ２５は、上辺が枠体２０にそれぞれ固着されており、側辺が支持帯２１にそれぞれ固着されている。
【００１８】
第１フィルタ２３、第２フィルタ２４及び第３フィルタ２５はメッシュ（網）なので、固形物は通さないで液体を通す複数の開口が形成されている。冷却装置１が許容する固形物の大きさに応じて開口の大きさは適宜設定されるが、好ましくは、第１フィルタ２３、第２フィルタ２４及び第３フィルタ２５は目開きが０．３ｍｍ〜１ｍｍ、線径が０．２ｍｍ〜０．５ｍｍ、より好ましくは目開きが０．３ｍｍ〜０．８ｍｍ、線径が０．２ｍｍ〜０．５ｍｍに設定される。線材の強度および開口率を確保するためである。これにより、濾過器１１の目詰まりを生じ難くしつつ濾過器１１（フィルタ）の耐久性を確保できる。
【００１９】
第１フィルタ２３、第２フィルタ２４及び第３フィルタ２５は、その目開き及び線径によって開口率が２４％〜７０％に設定される。但し、通水性を確保しつつ目ずれを生じ難くするため（目開きを狂い難くするため）、第１フィルタ２３、第２フィルタ２４及び第３フィルタ２５の開口率は３０％〜５０％が好ましい。
【００２０】
本実施の形態では、冷却管３、ヘッダ管４、給水管５、排水管６、集水管１３及び還流管７の中では冷却管３（図１参照）の往路の内寸（本実施の形態では内径０．８ｍｍ）が最も小さいので、第１フィルタ２３、第２フィルタ２４及び第３フィルタ２５は、目開きが、その内寸より小さい０．５ｍｍ（線径０．３ｍｍ）に設定されている。冷却管３を詰まらせるような固形物を除去するためである。
【００２１】
支持帯２１は下端に底部２６が固着されている。底部２６は、断面Ｖ字状に形成されたステンレス鋼製の細長い板材であり、両端が支持帯２１に固着され、中央が第１フィルタ２３及び第２フィルタ２４の下辺２９（図３参照）の裏面に固着されている。第１フィルタ２３及び第２フィルタ２４の下辺２９に底部２６が連接されるので、底部２６により第１フィルタ２３及び第２フィルタ２４の下辺２９の強度を向上できる。底部２６は不透水性を有しているので、液体および固形物は、第１フィルタ２３及び第２フィルタ２４の下辺２９（底部２６）を通過できない。よって、第１フィルタ２３及び第２フィルタ２４の下辺２９に到達した液体は、第３フィルタ２５を通って濾過器１１から受槽１２へ排出される。
【００２２】
張出部２７，２８は、濾過器１１を受槽１２に固定するための部位であり、ステンレス鋼製の細長い板材により形成されている。張出部２７，２８は、枠体２０の長辺にそれぞれ固着されている。濾過器１１はステンレス鋼製なので錆び難くすることができ、耐久性を確保できると共に、液体（冷却水）に混入する錆（固形物）の発生を防止できる。
【００２３】
図３は受槽１２に設置された濾過器１１の断面図（切断部端面図）であり、図４は図３のＩＶ−ＩＶ線における濾過器１１の断面図である。図３に示すように濾過器１１の張出部２７，２８を受槽１２の縁に掛けることにより、受槽１２の内側に濾過器１１の第１フィルタ２３、第２フィルタ２４及び第３フィルタ２５が配置される。作業者は、張出部２７，２８をつかんで受槽１２から濾過器１１を取り出すことができる。濾過器１１は、流下管１４の出口１６の鉛直下方に第１フィルタ２３及び第２フィルタ２４が位置するように、受槽１２に取り付けられる。第１フィルタ２３は、流下管１４の出口１６から流下する液体１７を受ける領域３０が流下管１４毎に存在する。領域３０は第１フィルタ２３の高さ方向（図３上下方向）のほぼ中央部に位置する。
【００２４】
図４に示すように第１フィルタ２３は、領域３０の面積に対して面積（大きさ）が十分大きいので、領域３０は第１フィルタ２３の表面の一部を占める。底部２６は、第１フィルタ２３の下辺２９の第１端３１から第２端３２へ向けて下降傾斜しているので、第１フィルタ２３の下辺２９に到達した液体は、第１端３１側から第２端３２側へ流れ、第２端３２側から第３フィルタ２５を通って受槽１２へ排出される。領域３０は流下管１４毎に存在するが、図４では便宜上、領域３０は４つが図示されている。
【００２５】
図３に戻って説明する。第１フィルタ２３は、領域３０が、水平面１８に対して表面が傾斜するように配置されている。領域３０において、第１フィルタ２３の開口を通過する液体１７の液量より、第１フィルタ２３の表面に沿って領域３０を流下する液体１７の液量を多くするためである。第１フィルタ２３は、このような関係になるように、領域３０における水平面１８に対する表面の傾斜角度θが４０°〜８０°に設定されている。
【００２６】
なお、領域３０において、第１フィルタ２３の開口を通過する液体１７の液量より、第１フィルタ２３の表面に沿って領域３０を流下する液体１７の液量が多いかどうかを調べるには、流下管１７から所定量（液量Ａ）の液体１７を領域３０へ投下し、その領域３０を通過した液体を採取して、その液量（液量Ｂ）を測定する。領域３０へ投下した液量Ａから領域３０を通過した液量Ｂを減じた液量Ｃ（Ｃ＝Ａ−Ｂ）は、第１フィルタ２３の表面に沿って領域３０を流下した液量である。液量Ｃが液量Ｂより多くなるように第１フィルタ２３の傾斜角度θを調整する。傾斜角度θが大きくなるほど液量Ｂに対して液量Ｃが増加する。
【００２７】
このように第１フィルタ２３の傾斜角度θが調整されていれば、固形物を含む液体１７を流下管１４から濾過器１１へ流下すると、第１フィルタ２３の領域３０の開口をスムーズに通過できない固形物（開口に引っ掛かり易い先細り等の異形の固形物も含む）は、第１フィルタ２３の表面に沿って底部２６へ向かって領域３０を流下する液体１７に押し流されるものが多くなる。固形物は第１フィルタ２３の表面を流下するので、領域３０に固形物を堆積させ難くできる。液体１７を受ける第１フィルタ２３の領域３０の開口に固形物を侵入し難くして領域３０の目詰まりを抑制できるので、濾過器１１の通水量を低下させ難くできる。その結果、濾過器１１の取り出し及び清掃の頻度を低くできる。
【００２８】
固形物除去器１０によって液体（冷却水）に含まれる固形物を除去できるので、集水管１３及び還流管７のいずれか若しくはその両方（以下「集水管１３等」と称す）に、液体に含まれる固形物を捕捉するストレーナを設置しなくても済むようにできる。集水管１３等にストレーナを設置した場合には、ストレーナに固形物が堆積して目詰まりを起こすと冷却流量が減少し金型２が冷却されなくなるので、冷却装置１の停止時にストレーナを定期的に清掃しなければならないという問題点がある。これに対し固形物除去器１０によれば、流下管１４から流下する液体１７を利用して、濾過器１１（領域３０）に捕捉された固形物を底部２６へ押し流すことができる。濾過器１１の清掃が自動的に行われるので、作業者による濾過器１１の取り出し及び清掃の頻度を低くできる。
【００２９】
また、液体１７に押し流された固形物は、濾過器１１の底部２６に溜まる。底部２６は強度が第１フィルタ２３より高いので、底部２６が設けられてない場合に比べて、第１フィルタ２３の耐久性を向上できる。底部２６は断面Ｖ字状に形成されているので、底部２６が平板状の場合に比べて、濾過器１１（底部２６）の強度および剛性を向上できる。固形物は底部２６を通過できないので、底部２６に固形物を溜めることができる。底部２６に溜まった固形物を取り除けば濾過器１１の清掃ができるので、濾過器１１の清掃を容易にできる。
【００３０】
底部２６はステンレス鋼製の板材によって形成されおり、不透水性を有している。底部２６は、第１フィルタ２３の下辺２９の第１端３１から第２端３２へ向けて下降傾斜しているので、底部２６に溜めた固形物を、第１フィルタ２３の表面を流下する液体１７が底部２６を第２端３２へ向けて流れるのを利用して、第１フィルタ２３の下辺２９の第２端３２側へ集めることができる。固形物が自然に底部２６の第２端３２側に集まるので、濾過器１１から固形物を取り除く清掃作業をさらに容易にできる。
【００３１】
固形物除去器１０は、流下管１４と受槽１２の底との間に濾過器１１（第１フィルタ２３及び第２フィルタ２４）が配置されているので、流下管１４から流下する液体１７が受槽１２の底や受槽１２に溜まった液体に当たって周囲に飛び散る液はねを防止できる。
【００３２】
次に図５（ａ）から図５（ｅ）を参照して第２実施の形態から第６実施の形態について説明する。第２実施の形態から第６実施の形態は、濾過器１１の構成が異なる以外は第１実施の形態と同一である。従って、第１実施の形態と同一の部分については、同一の符号を付して以下の説明を省略する。
【００３３】
図５（ａ）は第２実施の形態における濾過器４０の断面図であり、図５（ｂ）は第３実施の形態における濾過器５０の断面図であり、図５（ｃ）は第４実施の形態における濾過器６０の断面図であり、図５（ｄ）は第５実施の形態における濾過器７０の断面図であり、図５（ｅ）は第６実施の形態における濾過器８０の断面図である。これらは全て切断部端面図である。濾過器４０，５０，６０，７０，８０は、第１実施の形態の濾過器１１に代えて、受槽１２に設置される。
【００３４】
図５（ａ）に示すように濾過器４０は、矩形の枠状に形成された枠体４１と、枠体４１から下方へ向かって延びる支持帯（図示せず）と、上辺が枠体４１に固着されると共に支持帯（図示せず）間に張られた第１フィルタ４２、第２フィルタ４５、第３フィルタ（図示せず）と、枠体４１に設けられた張出部２７，２８とを備えている。
【００３５】
第１フィルタ４２、第２フィルタ４５及び第３フィルタ（図示せず）は、液体に含まれる錆やゴミ等の異物（固形物）を除去するためのステンレス鋼製のメッシュ（網）である。第１フィルタ４２及び第２フィルタ４５は外形が矩形状に形成されており、第３フィルタは外形が五角形状に形成されている。第１フィルタ４２及び第２フィルタ４５は、鉛直方向に延びる鉛直部４３と、鉛直部４３の下辺に連接されると共に水平面に対して直線状に傾斜する傾斜部４４とをそれぞれ備えている。第１フィルタ４２及び第２フィルタ４５の下辺に、断面Ｖ字状のステンレス鋼製の板状の底部４６が連接されている。
【００３６】
濾過器４０は、傾斜部４４が流下管１４（図３参照）の出口１６の下方に配置される。傾斜部４４は、流下管１４から流下する液体１７を受ける領域（図示せず）において、傾斜部４４の開口を通過する液体１７の液量より、傾斜部４４の表面に沿って領域を流下する液体１７の液量が多くなるように、水平面に対する傾斜角度が設定される。濾過器４０を備える固形物除去器は傾斜部４４を備えているので、第１実施の形態で説明した固形物除去器１０と同様の作用効果がある。
【００３７】
図５（ｂ）に示すように濾過器５０は、矩形の枠状に形成された枠体２０と、枠体２０から下方へ向かって延びる支持帯（図示せず）と、上辺が枠体２０に固着されると共に支持帯（図示せず）間に張られた第１フィルタ５１、第２フィルタ５２、第３フィルタ（図示せず）と、枠体２０に設けられた張出部２７，２８とを備えている。
【００３８】
第１フィルタ５１、第２フィルタ５２及び第３フィルタ（図示せず）は、液体に含まれる固形物を除去するためのステンレス鋼製のメッシュ（網）である。第１フィルタ５１及び第２フィルタ５２は外形が矩形状に形成されており、第３フィルタは外形が略扇状に形成されている。第１フィルタ５１及び第２フィルタ５２は水平面に対して曲線状に傾斜する。第１フィルタ５１及び第２フィルタ５２の下辺に、断面Ｕ字状のステンレス鋼製の板状の底部５３が連接されている。
【００３９】
濾過器５０は、第１フィルタ５１及び第２フィルタ５２が流下管１４（図３参照）の出口１６の下方に配置される。第１フィルタ５１及び第２フィルタ５２は、流下管１４から流下する液体１７を受ける領域（図示せず）において、第１フィルタ５１及び第２フィルタ５２の開口を通過する液体１７の液量より、第１フィルタ５１及び第２フィルタ５２の表面に沿って領域を流下する液体１７の液量が多くなるように、水平面に対する傾斜角度が設定される。第１フィルタ５１及び第２フィルタ５２を備えているので、濾過器５０を備える固形物除去器は第１実施の形態で説明した固形物除去器１０と同様の作用効果がある。
【００４０】
図５（ｃ）に示すように濾過器６０は、矩形の枠状に形成された枠体２０と、枠体２０から下方へ向かって延びる支持帯（図示せず）と、上辺が枠体２０に固着されると共に支持帯（図示せず）間に張られた第１フィルタ６１、第２フィルタ６４、第３フィルタ（図示せず）と、枠体２０に設けられた張出部６５とを備えている。枠体２０は受槽１２（図３参照）の内側に嵌め込まれる部位であり、張出部６５は、作業者がつかんで受槽１２に嵌め込まれた枠体２０を取り出すために用いられる。
【００４１】
第１フィルタ６１、第２フィルタ６４及び第３フィルタ（図示せず）は、固形物を除去するためのステンレス鋼製のメッシュ（網）である。第１フィルタ６１及び第２フィルタ６４は外形が矩形状に形成されており、第３フィルタは、第１フィルタ６１及び第２フィルタ６４の両端を塞いでいる。第１フィルタ６１及び第２フィルタ６４は、水平面に対して傾斜する傾斜部６２と、傾斜部６２の下辺に連接されると共に鉛直方向に延びる鉛直部６３とをそれぞれ備えている。第１フィルタ６１及び第２フィルタ６４の下辺に、ステンレス鋼製の板状の底部６６が連接されている。
【００４２】
濾過器６０は、傾斜部６２が流下管１４（図３参照）の出口１６の下方に配置される。傾斜部６２は、流下管１４から流下する液体１７を受ける領域（図示せず）において、傾斜部６２の開口を通過する液体１７の液量より、傾斜部６２の表面に沿って領域を流下する液体１７の液量が多くなるように、水平面に対する傾斜角度が設定される。濾過器６０を備える固形物除去器は傾斜部６２を備えているので、第１実施の形態で説明した固形物除去器１０と同様の作用効果がある。
【００４３】
図５（ｄ）に示すように濾過器７０は、矩形の枠状に形成された枠体４１と、枠体４１から下方へ向かって延びる支持帯（図示せず）と、上辺が枠体４１に固着されると共に支持帯（図示せず）間に張られた第１フィルタ７１、第２フィルタ７４、第３フィルタ（図示せず）と、枠体４１に設けられた張出部２７，２８とを備えている。
【００４４】
第１フィルタ７１、第２フィルタ７４及び第３フィルタ（図示せず）は、固形物を除去するためのステンレス鋼製のメッシュ（網）である。第１フィルタ７１及び第２フィルタ７４は外形が矩形状に形成されており、第３フィルタは外形が台形状に形成されている。第１フィルタ７１は、鉛直方向に延びる鉛直部７２と、鉛直部７２の下辺に連接されると共に水平面に対して直線状に傾斜する傾斜部７３とを備えている。第１フィルタ７１及び第２フィルタ７４の下辺に、断面Ｖ字状のステンレス鋼製の板状の底部７５が連接されている。
【００４５】
濾過器７０は、傾斜部７３が流下管１４（図３参照）の出口１６の下方に配置される。傾斜部７３は、流下管１４から流下する液体１７を受ける領域（図示せず）において、傾斜部７３の開口を通過する液体１７の液量より、傾斜部７３の表面に沿って領域を流下する液体１７の液量が多くなるように、水平面に対する傾斜角度が設定される。濾過器７０を備える固形物除去器は傾斜部７３を備えているので、第１実施の形態で説明した固形物除去器１０と同様の作用効果がある。
【００４６】
図５（ｅ）に示すように濾過器８０は、矩形の枠状に形成された枠体２０と、枠体２０から下方へ向かって延びる支持帯（図示せず）と、上辺が枠体２０に固着されると共に支持帯（図示せず）間に張られた第１フィルタ８１、第２フィルタ８２、第３フィルタ（図示せず）と、枠体２０に設けられた張出部２７，２８とを備えている。
【００４７】
第１フィルタ８１、第２フィルタ８２及び第３フィルタ（図示せず）は、固形物を除去するためのステンレス鋼製のメッシュ（網）である。第１フィルタ８１及び第２フィルタ８２は外形が矩形状に形成されており、第３フィルタは外形が台形状に形成されている。第１フィルタ８１及び第２フィルタ８２は水平面に対して直線状に傾斜している。第１フィルタ８１及び第２フィルタ８２の下辺に、ステンレス鋼製の板状の底部８３が連接されている。
【００４８】
濾過器８０は、第１フィルタ８１及び第２フィルタ８２が流下管１４（図３参照）の出口１６の下方に配置される。第１フィルタ８１及び第２フィルタ８２は、流下管１４から流下する液体１７を受ける領域（図示せず）において、第１フィルタ８１及び第２フィルタ８２の開口を通過する液体１７の液量より、第１フィルタ８１及び第２フィルタ８２の表面に沿って領域を流下する液体１７の液量が多くなるように、水平面に対する傾斜角度が設定される。濾過器８０を備える固形物除去器は第１フィルタ８１及び第２フィルタ８２を備えているので、第１実施の形態で説明した固形物除去器１０と同様の作用効果がある。
【００４９】
以上、実施の形態に基づき本考案を説明したが、本考案は上記実施の形態に何ら限定されるものではなく、本考案の趣旨を逸脱しない範囲内で種々の改良変形が可能であることは容易に推察できるものである。
【００５０】
上記各実施の形態では、第１フィルタ２３，４２，５１，６１，７１，８１（フィルタ）がステンレス鋼製の線材を平織や綾織にしたメッシュ（網）の場合について説明したが、必ずしもこれに限られるものではなく、線材を畳織や綾畳織にしたメッシュ（網）を用いることは当然可能である。線材はステンレス製に限られるものではなく、合成樹脂製の繊維を線材の材料とすることは当然可能である。また、第１フィルタ２３，４２，５１，６１，７１，８１（フィルタ）を織物に限定するものではなく、パンチング金型やレーザ加工などによって金属製や合成樹脂製の板材やシートに複数の開口を形成したパンチングメタル等の網をフィルタに用いることは当然可能である。
【００５１】
上記各実施の形態では、ダイカスト用の金型２の冷却水（循環液）に含まれる固形物を除去する固形物除去器１０について説明したが、必ずしもこれに限られるものではなく、他の用途に採用することは当然可能である。他の用途としては、例えば、冷却塔や熱交換器等の循環水からの固形物除去、工作機械で部材を加工するときに使用するクーラント（切削液や研削液）からの固形物除去、食品・薬品・化学工業等のプロセスで生成される液体からの固形物除去などが例示される。
【００５２】
上記各実施の形態では、底部２６，４６，５３，６６，７５，８３が不透水性のステンレス鋼の板材で形成される場合について説明したが、必ずしもこれに限られるものではない。第１フィルタ２３，４２，５１，６１，７１，８１（フィルタ）より強度が高く、且つ、第１フィルタ２３，４２，５１，６１，７１，８１（フィルタ）の開口より径の小さい開口が形成された部材で底部２６，４６，５３，６６，７５，８３を形設することは当然可能である。この場合も濾過器１１，４０，５０，６０，７０，８０の強度を高めると共に、底部２６，４６，５３，６６，７５，８３に固形物を溜めることができるからである。
【符号の説明】
【００５３】
３    冷却管（配管の一部）
４    ヘッダ管（配管の一部）
５    給水管（配管の一部）
６    排水管（配管の一部）
７    還流管
１０  固形物除去器
１１，４０，５０，６０，７０，８０  濾過器
１２  受槽
１３  集水管
１４  流下管
１６  出口
１７  液体
１８  水平面
２３，４２，５１，６１，７１，８１  第１フィルタ（フィルタ）
２６，４６，５３，６６，７５，８３  底部
２９  下辺
３０  領域
３１  第１端
３２  第２端
θ    傾斜角度
【図１】
0003203724.tif 000003
【図２】
0003203724.tif 000004
【図３】
0003203724.tif 000005
【図４】
0003203724.tif 000006
【図５】
0003203724.tif 000007